(57)【特許請求の範囲】
【請求項１】
所定の遊技の結果として、遊技を行うための遊技媒体を払い出す特定遊技状態に制御可能であり、該特定遊技状態として、前記払い出す遊技媒体数が異なる複数種類の特定遊技状態を有する遊技機を管理し、
前記遊技機から出力され、該遊技機が前記特定遊技状態に制御されていることを特定可能な第１信号と、該遊技機から払い出された遊技媒体数を特定可能な第２信号とを入力する信号入力手段と、
前記第１信号の入力期間中に入力された前記第２信号及び該第１信号の入力期間終了後における所定の遅延判定期間中に入力された前記第２信号に基づいて、前記遊技機で発生した前記特定遊技状態中に払い出された遊技媒体数である特定払出数を管理する特定払出数管理手段と、
を備える管理装置であって、
前記複数種類の特定遊技状態の各々に対応する前記遅延判定期間を設定する遅延判定期間設定手段と、
前記信号入力手段に入力される信号の入力態様に応じて、前記遊技機で発生した前記特定遊技状態の種類が前記複数種類のうちのいずれであるかを判定する種類判定手段と、
該種類判定手段によって判定された前記特定遊技状態の種類に応じて、前記遅延判定期間設定手段により設定された当該特定遊技状態に対応する遅延判定期間を特定する遅延判定期間特定手段と、をさらに備えることを特徴とする管理装置。
【発明の詳細な説明】
【技術分野】
【０００１】
本発明は、所定の遊技の結果として、遊技を行うための遊技媒体を払い出す特定遊技状態に制御可能であり、該特定遊技状態として、前記払い出す遊技媒体数が異なる複数種類の特定遊技状態を有する遊技機を管理し、前記遊技機から出力され、該遊技機が前記特定遊技状態に制御されていることを特定可能な第１信号と、該遊技機から払い出された遊技媒体数を特定可能な第２信号とを入力する信号入力手段と、前記第１信号の入力期間中に入力された前記第２信号及び該第１信号の入力期間終了後における所定の遅延判定期間中に入力された前記第２信号に基づいて、前記遊技機で発生した前記特定遊技状態中に払い出された遊技媒体数である特定払出数を管理する特定払出数管理手段と、を備える管理装置に関する。
【背景技術】
【０００２】
従来より、特許文献１に示すように、遊技機（パチンコ機）及び該遊技機で発生する特定遊技状態（大当り）中に払い出される遊技媒体数である特定払出数（大当り出玉数）を管理する管理装置であって、特定遊技状態が終了しても該特定遊技状態中に遊技媒体を払い出しきれないことを考慮して、所定の遅延判定期間を設定することにより、特定遊技状態中に払い出された遊技媒体に加えて、特定遊技状態終了後の該遅延判定期間中に払い出された遊技媒体も、特定払出数として管理するものが知られている。
【先行技術文献】
【特許文献】
【０００３】
【特許文献１】特開平０８−１９６７１９号公報
【発明の概要】
【発明が解決しようとする課題】
【０００４】
しかしながら、前記特定遊技状態として、払い出す遊技媒体数が異なる複数種類の特定遊技状態（例えば１５ラウンド大当りと７ラウンド大当り）がある場合には、前記払い出しきれない遊技媒体数が異なるため、特定遊技状態終了後に遊技媒体を払い出しきるまでの期間が異なる。そのため、すべての大当りに対して一律に前記遅延判定期間を設定すると、正確な特定払出数を管理することができず、該特定払出数を遊技機調整（例えば釘調整）の指標として用いることができないという問題があった。
【０００５】
本発明は、このような背景のもとになされたものであり、その目的は、払い出す遊技媒体数が異なる複数種類の特定遊技状態がある遊技機を管理する管理装置において、特定遊技状態の種類毎の特定払出数を正確に管理できるようにすることにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず手段１に係る発明は、
所定の遊技の結果として、遊技を行うための遊技媒体（パチンコ玉）を払い出す特定遊技状態（大当り）に制御可能であり、該特定遊技状態として、前記払い出す遊技媒体数が異なる複数種類の特定遊技状態（１５ラウンド大当りと７ラウンド大当り）を有する遊技機（パチンコ機１０）を管理し、
前記遊技機から出力され、該遊技機が前記特定遊技状態に制御されていることを特定可能な第１信号（大当り１信号と大当り２信号）と、該遊技機から払い出された遊技媒体数を特定可能な第２信号（賞球信号）とを入力する信号入力手段（通信部１０１）と、
前記第１信号の入力期間中に入力された前記第２信号及び該第１信号の入力期間終了後における所定の遅延判定期間中に入力された前記第２信号に基づいて、前記遊技機で発生した前記特定遊技状態中に払い出された遊技媒体数である特定払出数（確定出玉数）を管理する特定払出数管理手段（遊技情報ＤＢ）と、
を備える管理装置（ホールコンピュータ１００）であって、
前記複数種類の特定遊技状態の各々に対応する前記遅延判定期間を設定する遅延判定期間設定手段（遅延判定期間設定テーブル）
と、
前記信号入力手段に入力される信号の入力態様に応じて、前記遊技機で発生した前記特定遊技状態の種類が前記複数種類のうちのいずれであるかを判定する種類判定手段（Ｓ１１１，Ｓ１１１’，Ｓ１１１”の処理を行う制御部１０２）と、
該種類判定手段によって判定された前記特定遊技状態の種類に応じて、前記遅延判定期間設定手段により設定された当該特定遊技状態に対応する遅延判定期間を特定する遅延判定期間特定手段（Ｓ１１２，Ｓ１１３の処理を行う制御部１０２）と、をさらに備えることを特徴とする管理装置である。
これによれば、複数種類の特定遊技状態の各々に対応する遅延判定期間を設定し、遊技機から出力される信号の入力態様に応じて特定遊技状態の種類を判定し、該判定された特定遊技状態の種類に応じて前記設定された遅延判定期間を特定して、該遅延判定期間に入力された第２信号に基づいて特定払出数を管理するので、特定遊技状態の種類毎の特定払出数を正確に管理できる。
【０００８】
また手段２に係る発明は、
手段１に記載した管理装置であって、
前記種類判定手段は、前記信号入力手段に入力される第１信号の入力時間に応じて、前記遊技機で発生した前記特定遊技状態の種類が前記複数種類のうちのいずれであるかを判定する（Ｓ１１１の処理を行う）ことを特徴とする管理装置である。
これによれば、１つの信号の入力期間に応じて特定遊技状態の種類を判定するので、遊技機から出力される信号が少なくても特定遊技状態の種類を判定できる。
【０００９】
また手段３に係る発明は、
手段１に記載した管理装置であって、
前記種類判定手段は、前記第１信号の入力期間中に入力された前記第２信号に基づいて算出される遊技媒体数に応じて、前記遊技機で発生した前記特定遊技状態の種類が前記複数種類のうちのいずれであるかを判定する（Ｓ１１１’の処理を行う）ことを特徴とする管理装置である。
これによれば、実際に払い出された遊技媒体数に応じて特定遊技状態の種類を判定するので、誤判定が少なくなる。
【００１０】
また手段４に係る発明は、
手段１に記載した管理装置であって、
前記遊技機は、該遊技機で発生する前記特定遊技状態の種類に応じて複数種類の前記第１信号（大当り１信号，大当り２信号）を出力し、
前記種類判定手段は、前記信号入力手段に入力される第１信号の種類又は組合せに応じて、前記遊技機で発生した前記特定遊技状態の種類が前記複数種類のうちのいずれであるかを判定する（Ｓ１１１”の処理を行う）ことを特徴とする管理装置である。
これによれば、遊技機から出力される第１信号の種類又は組合せに応じて特定遊技状態の種類を判定するので、より正確に特定遊技状態の種類を判定できる。
【００１１】
また手段５に係る発明は、
手段１〜４のいずれか１つに記載した管理装置であって、
前記遅延判定期間特定手段は、第１の特定遊技状態の遅延判定期間中に、前記信号入力手段に入力された信号に基づいて第２の特定遊技状態が発生したと判定された場合（Ｓ１０２でＹＥＳ）に、前記第１の特定遊技状態の遅延判定期間と当該第２の特定遊技状態の発生を特定する信号の入力期間との重複期間を付加して、当該第２の特定遊技状態の種類に応じた遅延判定期間を特定する（Ｓ１１５の処理を行う）ことを特徴とする管理装置である。
これによれば、遅延判定期間中に連続して新たに発生した第２の特定遊技状態に対しても、特定払出数を正確に管理できる。
【００１２】
さらに手段６に係る発明は、
手段１〜５のいずれか１つに記載した管理装置であって、
前記遅延判定期間設定手段は、前記遊技機の機種に応じて、前記遅延判定期間を予め設定可能である（遅延判定期間設定テーブルで、遊技機の機種毎に遅延判定期間を設定する）ことを特徴とする管理装置である。
これによれば、遊技機の機種毎に異なる特定遊技状態の種類や遊技媒体の払出能力に応じて遅延判定期間を予め設定可能なので、特定払出数をより正確に管理できる。
【図面の簡単な説明】
【００１３】
【図１】図１は本発明に係る管理装置であるホールコンピュータを含む遊技用システムの一例を表す機能ブロック図である。
【図２】図２はパチンコ機から出力されてホールコンピュータに入力される信号の一例を表す図であり、（ａ）は１５ラウンド大当りの発生時，（ｂ）は７ラウンド大当りの発生時，（ｃ）は１５ラウンド大当りと７ラウンド大当りの発生時である。
【図３】図３はホールコンピュータのハードディスクで記憶している遅延判定期間設定テーブルの一例を表す図である。
【図４】図４はホールコンピュータのハードディスクで記憶している遊技情報ＤＢの一例を表す図である。
【図５】図５はホールコンピュータの制御部が実行する第１実施形態に係る大当り出玉集計処理の一例を表すフローチャートである。
【図６】図６はホールコンピュータの制御部が実行する第２実施形態に係る大当り出玉集計処理の一例を表すフローチャートである。
【図７】図７はホールコンピュータの制御部が実行する第３実施形態に係る大当り出玉集計処理の一例を表すフローチャートである。
【発明を実施するための最良の形態】
【００１４】
以下、本発明の実施の形態を、図面を参照して説明する。図１は、本発明に係る管理装置であるホールコンピュータ１００を含む遊技用システム１の一例を表す機能ブロック図である。ホールコンピュータ１００は、複数の遊技機であるパチンコ機１０と通信可能であり、該パチンコ機１０を管理するものである。このホールコンピュータ１００とパチンコ機１０とで、遊技用システム１を構成している。なお図示しないが、パチンコ機１０とホールコンピュータ１００との間における通信経路上には、１又は複数のパチンコ機１０に対応する台端末装置や、遊技島に配置される複数のパチンコ機１０に対応する中継コンピュータが介在されていても良い。
【００１５】
パチンコ機１０は遊技機の一例であって、所定の遊技の結果として、遊技を行うための遊技媒体（パチンコ玉）を払い出す特定遊技状態（大当り）に制御可能なものである。このパチンコ機１０は、遊技制御基板１１と、該遊技制御基板１１に接続される払出制御基板１２，及び外部中継基板１４と、払出制御基板１２に接続される玉払出装置１３とを備えている。
【００１６】
このパチンコ機１０では、パチンコ玉を遊技領域に発射することにより遊技者が遊技を行い、遊技領域に設けられた始動入賞口にパチンコ玉が入賞したことに基づいて、払出制御基板１２の指令により玉払出装置１３から所定数のパチンコ玉を賞球として払い出すと共に、遊技制御基板１１の指令により可変表示装置（図示外）において、各々を識別可能な複数種類の識別情報（特別図柄）の可変表示を行って、該可変表示の表示結果を導出表示し、該可変表示結果が特定表示結果となったことに基づいて、遊技制御基板１１の制御により遊技者にとって有利な特定遊技状態（大当り）を発生する。
【００１７】
この大当りでは、遊技制御基板１１の指令により特別可変入賞装置（図示外）が閉鎖状態から開放状態に変化するラウンド遊技が行われ、該開放状態に変化した特別可変入賞装置にパチンコ玉が入賞したことに基づいて、払出制御基板１２の指令により玉払出装置１３から所定数のパチンコ玉を賞球として払い出す。このラウンド遊技では、開放状態に変化してから所定数（例えば１０個）のパチンコ玉が入賞したこと又は所定時間（例えば２９秒）が経過したことで閉鎖状態に変化して、１ラウンドが終了し、当該ラウンドが所定ラウンド数だけ実行される。
【００１８】
この大当りには、払い出すパチンコ玉数が異なる複数種類の大当りがあり、本例では、１５ラウンドのラウンド遊技を行う１５ラウンド大当りと、７ラウンドのラウンド遊技を行う７ラウンド大当りの、２種類の大当りがあり、遊技制御基板１１における抽選により、いずれかの種類の大当りが発生する。この大当りで払い出されるパチンコ玉の数（大当り出玉数）は、パチンコ機１０の機種毎に異なるが、例えば機種Ａでは、１５ラウンド大当りで約２０００個，７ラウンド大当りで約１０００個である。
【００１９】
図２は、パチンコ機１０から出力されてホールコンピュータ１００に入力される信号の一例を表す図であり、（ａ）は１５ラウンド大当りの発生時，（ｂ）は７ラウンド大当りの発生時，（ｃ）は１５ラウンド大当りと７ラウンド大当りの発生時である。
【００２０】
パチンコ機１０の外部中継基板１４からは、前記大当りに制御されていることを特定可能な第１信号として、大当り１信号と大当り２信号（大当り信号）とが出力される。この大当り信号は、遊技制御基板１１の指令により、大当りの発生から終了まで継続的に出力される信号であり、図２（ａ）に示すように、１５ラウンド大当りの場合には、大当り１信号のみが出力され、図２（ｂ）に示すように、７ラウンド大当りの場合には、大当り１信号及び大当り２信号が出力される。またパチンコ機１０の外部中継基板１４からは、当該パチンコ機１０から払い出されたパチンコ玉数を特定可能な第２信号として、賞球信号が出力される。この賞球信号は、遊技制御基板１１の指令により、図２に示すように、１０個の賞球が付与される毎にパルス状に出力される信号である。
【００２１】
次にホールコンピュータ１００について説明するが、該ホールコンピュータ１００には、大当りの種類を判定する大当り判定手法が異なる３つの実施形態が含まれ、以下においては、まず第１実施形態について説明し、次に第２実施形態と第３実施形態について、第１実施形態と異なる点についてのみ説明する。
【００２２】
［１．第１実施形態に係るホールコンピュータ１００］
ホールコンピュータ１００は、図１に示すように、図２に示すように接続される通信部１０１，制御部１０２，ハードディスク１０３，及び入出力装置１０４等を備えるコンピュータである。
【００２３】
通信部１０１は信号入力手段の一例であって、複数のパチンコ機１０の外部中継基板１４と通信可能に接続されており、前記第１信号（大当り１信号，大当り２信号）と前記第２信号とを入力するものである。制御部１０２は、ＣＰＵ，ＲＯＭ，ＲＡＭ等を備え、ＲＯＭやハードディスク１０３に記憶されている処理プログラムがＲＡＭを作業領域としてＣＰＵで実行されることにより、ホールコンピュータ１００に備えられる各構成要素の動作を制御して各種の処理を行うものである。入出力装置１０４は、キーボードやマウス等の入力デバイス及びディスプレイやプリンタ等の出力デバイスである。
【００２４】
記憶装置であるハードディスク１０３は、図３に示す遅延判定期間設定テーブル，及び図４に示す遊技情報ＤＢを記憶している。
【００２５】
図３に示す遅延判定期間設定テーブルは遅延判定期間設定手段の一例であって、大当り信号の入力期間終了後の所定の遅延判定期間中に入力された賞球信号に基づいて大当り出玉数を管理するために、前記複数種類の大当り（本例では１５ラウンド大当り及び７ラウンド大当り）の各々に対応する当該遅延判定期間を設定するものであり、ここではパチンコ機１０の機種（本例では機種Ａ，Ｂ，Ｃ）に応じて、遅延判定期間を予め設定可能である。これによれば、パチンコ機１０の機種毎に異なる大当りの種類やパチンコ玉の払出能力に応じて遅延判定期間を予め設定可能なので、大当り出玉数をより正確に管理できる。この設定は、遊技機メーカーから提供されるデータに基づいて、入出力装置１０４による手入力などにより行われる。
【００２６】
図４に示す遊技情報ＤＢは特定払出数管理手段の一例であって、大当り信号の入力期間中に入力された賞球信号及び該大当り信号の入力期間終了後における所定の遅延判定期間中に入力された賞球信号に基づいて、パチンコ機１０で発生した大当り中に払い出されたパチンコ玉数である大当り出玉数を管理するものであり、日付毎及びパチンコ機１０の台番号毎に、（ａ）に示す大当り履歴テーブルと、（ｂ）に示す大当り種類テーブルとが設けられている。
【００２７】
（ａ）の大当り履歴テーブルでは、当該台番号のパチンコ機１０で発生した大当り毎に、該大当りの種類と、該大当りの大当り１信号の入力期間中に入力された賞球信号に基づく暫定出玉数と、該大当り１信号の入力期間中及び該大当り１信号の入力期間終了後における遅延判定期間中に入力された賞球信号に基づく確定出玉数とが記憶される。（ｂ）の大当り種類テーブルでは、当該台番号のパチンコ機１０で発生した大当りの種類毎に、各大当りの回数と、各大当りの前記確定出玉数を合計した合計確定出玉数と、各合計確定出玉数を各大当り回数で除算した平均確定出玉数とが記憶される。
【００２８】
制御部１０２は、パチンコ機１０から前記信号入力手段に入力される信号の入力態様に応じて、該パチンコ機１０で発生した大当りの種類が複数種類のうちのいずれであるかを判定する種類判定手段，該種類判定手段によって判定された大当りの種類に応じて、前記遅延判定期間設定手段により設定された当該大当りに対応する遅延判定期間を特定する遅延判定期間特定手段として機能するものであり、該遅延判定期間特定手段により特定された遅延判定期間中に入力された賞球信号に基づいて大当り出玉数を管理することを特徴とするものである。
【００２９】
そして第１実施形態に係るホールコンピュータ１００は、前記種別判定手段として機能する制御部１０２（図５のＳ１１１）が、前記信号入力手段に入力される大当り信号の入力時間に応じて、パチンコ機１０で発生した大当りの種類が前記複数種類のうちのいずれであるかを判定することを特徴とするものである。図５は、ホールコンピュータ１００の制御部１０２が実行する第１実施形態に係る大当り出玉集計処理の一例を表すフローチャートであり、あるパチンコ機１０から大当り１信号を受信したことに基づいて、当該パチンコ機１０の大当り出玉を集計する処理を示している。
【００３０】
制御部１０２は、大当り１信号の受信を待機し（Ｓ１０１）、該大当り１信号の受信が有ると（ＹＥＳ）、遅延判定期間中であるか否かを判定する（Ｓ１０２）。このＳ１０２で遅延判定期間中でない（ＮＯ）と判定した場合は、Ｓ１０４に進む。一方、Ｓ１０２で遅延判定期間中である（ＹＥＳ）と判定した場合には、図３（ｃ）に示すように、該遅延判定期間と大当り１信号との重複期間の計時を開始して（Ｓ１０３）、Ｓ１０４に進む。このＳ１０３で開始された重複期間の計時は、後述するように、Ｓ１０８で停止されて重複期間が特定され、該特定された重複期間は、Ｓ１１２又はＳ１１３でセットされた遅延判定期間に対してＳ１１５で加算されて遅延判定期間が再セットされる。
【００３１】
次に制御部１０２は、大当りタイマの計時を開始すると共に（Ｓ１０４）、図４（ａ）に示す遊技情報ＤＢの大当り履歴テーブルにおいて、最新の大当り履歴を記録して（即ち、過去に４回の大当り履歴があれば、５回目の大当り履歴を記録して）、大当り１信号の終了（Ｓ１０５），該大当り１信号が終了するまでの賞球信号の受信（Ｓ１０６），又は遅延判定期間中であれば該遅延判定期間の終了（Ｓ１０７）を待機する。
【００３２】
Ｓ１０７で遅延判定期間が終了した（ＹＥＳ）と判定した場合には、前記Ｓ１０３で計時を開始した重複期間の計時を停止して該重複期間を特定し（Ｓ１０８）、前記Ｓ１０５に戻る。
【００３３】
Ｓ１０６で賞球信号の受信が有る（ＹＥＳ）と判定した場合には、前記大当り履歴テーブルの最新の大当り履歴において、暫定出玉数及び確定出玉数に１０個を加算して（Ｓ１０９）、前記Ｓ１０５に戻る。
【００３４】
Ｓ１０５で大当り１信号が終了した（ＹＥＳ）と判定した場合には、前記Ｓ１０４で計時を開始した大当りタイマの計時を停止して（Ｓ１１０）、該大当りタイマ値が２２０秒を超えているか否かを判定する（Ｓ１１１）。ここで２２０秒は、７ラウンド大当りを消化するための最長時間に若干の余裕時間を加えたものである。
【００３５】
このＳ１１１の処理を行う制御部１０２は、前記種別判定手段として機能するものである。これによれば、１つの信号の入力期間に応じて大当りの種類を判定するので、パチンコ機１０から出力される信号が少なくても大当りの種類を判定できる。
【００３６】
このＳ１１１で大当りタイマ値が２２０秒を超えている（ＹＥＳ）と判定した場合には、図３に示す遅延判定期間設定テーブルを参照して、当該パチンコ機１０の機種について設定されている１５ラウンド大当りの遅延判定期間を特定し、該特定した遅延判定期間をセットして（Ｓ１１２）、Ｓ１１４に進む。一方、Ｓ１１１で大当りタイマ値が２２０秒を超えていない（ＮＯ）と判定した場合には、図３に示す遅延判定期間設定テーブルを参照して、当該パチンコ機１０の機種について設定されている７ラウンド大当りの遅延判定期間を特定し、該特定した遅延判定期間をセットして（Ｓ１１３）、Ｓ１１４に進む。このＳ１１２又はＳ１１３の処理を行う制御部１０２は、前記遅延判定期間特定手段として機能するものである。
【００３７】
次に制御部１０２は、前記Ｓ１０８における重複期間の特定が有るか否かを判定する（Ｓ１１４）。このＳ１１４で重複期間の特定が無い（ＮＯ）と判定した場合には、Ｓ１１６に進む。一方、Ｓ１１４で重複期間の特定が有る（ＹＥＳ）と判定した場合には、前記Ｓ１１２又はＳ１１３でセットした遅延判定期間に対して該重複期間を加算して遅延判定期間を再セットして（Ｓ１１５）、Ｓ１１６に進む。
【００３８】
このＳ１１５の処理を行う制御部１０２は、図２（ｃ）に示すように、第１の大当り（本例では１５ラウンド大当り）の遅延判定期間中に、前記信号入力手段に入力された信号に基づいて第２の大当り（本例では７ラウンド大当り）が発生したと判定された場合に、第１の大当りの遅延判定期間と当該第２の大当りの発生を特定する信号（本例では大当り１信号）の入力期間との重複期間を付加して、当該第２の大当りの種類に応じた遅延判定期間を特定する遅延判定期間特定手段として機能するものである。
【００３９】
即ち、第１の大当りである１５ラウンド大当りの大当り出玉数は、該１５ラウンド大当りの大当り１信号の入力開始からカウントを開始して、遅延判定期間の終了でカウントを停止し、第２の大当りである７ラウンド大当りの大当り出玉数は、該７ラウンド大当りの大当り１信号の入力開始からはカウントせず、重複期間の終了後からカウントを開始して、該重複期間を加算した遅延判定期間の終了でカウントを停止する。これによれば、遅延判定期間中に連続して新たに発生した第２の大当りに対しても、大当り出玉数を正確に管理できる。
【００４０】
このＳ１１５の処理を行うのは、近時、例えば始動入賞口を構成する可変始動入賞装置に入賞しても賞球が１個である反面、大当り後の確変中や時短中は該可変始動入賞装置が遊技者にとって有利な状態（例えば開放状態）になる頻度が高くなり、該可変始動入賞装置への入賞率が高くなった結果として、該入賞に基づく可変表示装置の可変表示速度が速くなり、大当りの発生間隔が短いパチンコ機１０が出て来たので、当該パチンコ機１０を有効に管理するためである。
【００４１】
図５に戻り、遅延判定期間をセットした制御部１０２は、遅延タイマの計時を開始して（Ｓ１１６）、前記セットした遅延判定期間への該遅延タイマ値の到達（Ｓ１１７），又は該到達するまでの賞球信号の受信（Ｓ１１８）を待機する。このＳ１１８で賞球信号の受信が有る（ＹＥＳ）と判定した場合には、前記大当り履歴テーブルの最新の大当り履歴において、確定出玉数に１０個を加算して（Ｓ１１９）、前記Ｓ１０５に戻る。
【００４２】
Ｓ１１７で遅延タイマ値が遅延判定期間に到達した（ＹＥＳ）と判定した場合には、前記Ｓ１１６で計時を開始した遅延タイマの計時を停止すると共に（Ｓ１２０）、前記大当り履歴テーブルの最新の大当り履歴において記録された確定出玉数（即ち大当り出玉数）に基づいて、図４（ｂ）に示す大当り種類テーブルにおいて、大当り回数，合計確定出玉数，及び平均確定出玉数の各値を更新して、大当り出玉数集計処理を終了する。
【００４３】
［２．第２実施形態に係るホールコンピュータ１００］
第２実施形態に係るホールコンピュータ１００は、前記種別判定手段として機能する制御部１０２（図６のＳ１１１’）が、大当り信号の入力期間中に入力された賞球信号に基づいて算出される暫定出玉数に応じて、パチンコ機１０で発生した大当りの種類が前記複数種類のうちのいずれであるかを判定することを特徴とするものである。図６は、ホールコンピュータ１００の制御部１０２が実行する第２実施形態に係る大当り出玉集計処理の一例を表すフローチャートであり、あるパチンコ機１０から大当り１信号を受信したことに基づいて、当該パチンコ機１０の大当り出玉を集計する処理を示している。
【００４４】
この図６は、前記図５と比較して、Ｓ１０４及びＳ１１０の処理が無い点と、Ｓ１１１に代えてＳ１１１’の処理が行われる点のみが異なる。このＳ１１１’では、前記Ｓ１０９で記録された暫定出玉数が１１００個を超えているか否かを判定する。ここで１１００個は、７ラウンド大当りで獲得が期待される大当り出玉数に若干の余裕個数を加えたものである。
【００４５】
このＳ１１１’の処理を行う制御部１０２は、前記種別判定手段として機能するものである。これによれば、実際に払い出された暫定出玉数に応じて大当りの種類を判定するので、誤判定が少なくなる。
【００４６】
このＳ１１１’で暫定出玉数が１１００個を超えている（ＹＥＳ）と判定した場合には、図３に示す遅延判定期間設定テーブルを参照して、当該パチンコ機１０の機種について設定されている１５ラウンド大当りの遅延判定期間を特定し、該特定した遅延判定期間をセットして（Ｓ１１２）、Ｓ１１４に進む。一方、Ｓ１１１’で暫定出玉数が１１００個を超えていない（ＮＯ）と判定した場合には、図３に示す遅延判定期間設定テーブルを参照して、当該パチンコ機１０の機種について設定されている７ラウンド大当りの遅延判定期間を特定し、該特定した遅延判定期間をセットして（Ｓ１１３）、Ｓ１１４に進む。このＳ１１２又はＳ１１３の処理を行う制御部１０２は、前記遅延判定期間特定手段として機能するものである。
【００４７】
［２．第３実施形態に係るホールコンピュータ１００］
第３実施形態に係るホールコンピュータ１００は、前記種別判定手段として機能する制御部１０２（図７のＳ１１１”）が、前記信号入力手段に入力される大当り信号の種類又は組合せに応じて、パチンコ機１０で発生した大当りの種類が前記複数種類のうちのいずれであるかを判定することを特徴とするものである。図７は、ホールコンピュータ１００の制御部１０２が実行する第３実施形態に係る大当り出玉集計処理の一例を表すフローチャートであり、あるパチンコ機１０から大当り１信号を受信したことに基づいて、当該パチンコ機１０の大当り出玉を集計する処理を示している。
【００４８】
この図７は、前記図５と比較して、Ｓ１０４及びＳ１１０の処理が無い点と、Ｓ１０１ａ及びＳ１０１ｂの処理がある点と、Ｓ１１１に代えてＳ１１１”の処理が行われる点のみが異なる。制御部１０２は、Ｓ１０１で大当り１信号の受信が有ると（ＹＥＳ）、大当り２信号の受信が有るか否かを判定し（Ｓ１０１ａ）、大当り２信号の受信が無ければ（ＮＯ）、前記Ｓ１０２に進み、大当り２信号の受信が有れば（ＹＥＳ）、大当り２フラグをセットして（Ｓ１０１ｂ）、前記Ｓ１０２に進む。そしてＳ１１１”では、前記Ｓ１０１ｂで大当り２フラグのセットが有るか否かを判定する。
【００４９】
このＳ１１１”の処理を行う制御部１０２は、前記種別判定手段として機能するものである。これによれば、パチンコ機１０から出力される大当り信号の種類又は組合せに応じて大当りの種類を判定するので、より正確に大当りの種類を判定できる。
【００５０】
このＳ１１１”で大当り２フラグのセットが有る（ＹＥＳ）と判定した場合には、図３に示す遅延判定期間設定テーブルを参照して、当該パチンコ機１０の機種について設定されている１５ラウンド大当りの遅延判定期間を特定し、該特定した遅延判定期間をセットして（Ｓ１１２）、Ｓ１１４に進む。一方、Ｓ１１１”で大当り２フラグのセットが無い（ＮＯ）と判定した場合には、図３に示す遅延判定期間設定テーブルを参照して、当該パチンコ機１０の機種について設定されている７ラウンド大当りの遅延判定期間を特定し、該特定した遅延判定期間をセットして（Ｓ１１３）、Ｓ１１４に進む。このＳ１１２又はＳ１１３の処理を行う制御部１０２は、前記遅延判定期間特定手段として機能するものである。
【００５１】
以上に説明した第１実施形態，第２実施形態，第３実施形態に係るホールコンピュータ１００によれば、複数種類の大当りの各々に対応する遅延判定期間を設定し、パチンコ機１０から出力される信号の入力態様に応じて大当りの種類を判定し（Ｓ１１１，Ｓ１１１’，Ｓ１１１”）、該判定された大当りの種類に応じて前記設定された遅延判定期間を特定して（Ｓ１１２，Ｓ１１３）、該遅延判定期間に入力された賞球信号に基づいて大当り出玉数を管理するので（Ｓ１１９）、大当りの種類毎の大当り出玉数を正確に管理できる。
【００５２】
なお第３実施形態では、２種類の大当り信号を用いて大当りの種類を判定しているのに対し、第１実施形態と第２実施形態では、大当り信号は１種類のみを用いて大当りの種類を判定しているが、これはホールコンピュータ１００の通信部１０１における大当り信号の入力端子が少ない場合にも対応可能としたものである。
【００５３】
［４．変形例］
最後に、本発明の変形例について説明する。
【００５４】
上記の実施形態において、パチンコ機１０は、ＣＲ式のパチンコ機であっても現金式のパチンコ機でも良い。またパチンコ機は、遊技媒体であるパチンコ玉が指触不能に封入されると共に入賞口への入賞に応じて得点が付与される封入式のパチンコ機であっても良い。
【００５５】
上記の実施形態では、管理装置が、複数の遊技機（パチンコ機１０）を管理するホールコンピュータ１００である例について説明したが、これに限らず、該管理装置は、各遊技機に対応して設けられ、該対応する遊技機の遊技情報を管理するものであっても良い。
【００５６】
上記の第３実施形態では、図２に示すように、大当り信号の組合せに応じて大当りの種類を判定する例、即ち大当り１信号のみが入力されたら１５ラウンド大当り，大当り１信号及び大当り２信号が入力されたら７ラウンド大当りと判定する例について説明したが、例えば１５ラウンド大当りが発生したら１５ラウンド大当り信号が入力され、７ラウンド大当りが発生したら７ラウンド大当り信号が入力されるような場合には、該大当り信号の種類に応じて大当りの種類を発生するようにすれば良い。
【００５７】
上記の実施形態では、図２等に示すように、大当りの種類が１５ラウンド大当りと７ラウンド大当りの２種類である例について説明したが、これに限らず、該大当りのラウンド数はこれに限定されず、また該大当りの種類も３種類以上であっても良い。ここで大当りの種類として、大当り出玉数がほとんど０の大当り（例えば大当り期間が極めて短い２ラウンド大当り）が含まれても良い。この場合には、図５のＳ１１１で大当りタイマ値＜６０ｓｅｃ（該６０ｓｅｃは、２ラウンド大当りの大当り期間以上、７ラウンド大当りの大当り期間以下の、任意の値）ならば２ラウンド大当りと判定し、また図６のＳ１１１’で暫定出玉数＜１００個（該１００個は、２ラウンド大当りの大当り出玉数（即ちほとんど０）以上、７ラウンド大当りの大当り出玉数以下の、任意の値）ならば２ラウンド大当りと判定し、さらに図７のＳ１１１”で２ラウンド大当りを特定可能な大当り信号（例えば大当り３信号）の受信が有れば２ラウンド大当りと判定すれば良い。そして該２ラウンド大当りでは、大当り出玉数がほとんど０であり、大当り期間の終了後に払い出されることはほとんど無いので、遅延判定期間は０と設定すれば良い。
【００５８】
上記の実施形態では、図３に示す遅延判定期間を、入出力装置１０４からの手入力で設定する例について説明したが、これに限らず、例えば遅延判定期間が設定されていない初期状態において、大当り信号の終了後における賞球信号の入力期間に基づいて、遅延判定期間を自動的に設定するものであっても良い。
【符号の説明】
【００５９】
１０…パチンコ機
１００…ホールコンピュータ
１０１…通信部
１０２…制御部
１０３…ハードディスク
１０４…入出力装置
【図１】
0005894488.tif 000002
【図２】
0005894488.tif 000003
【図３】
0005894488.tif 000004
【図４】
0005894488.tif 000005
【図５】
0005894488.tif 000006
【図６】
0005894488.tif 000007
【図７】
0005894488.tif 000008